(57)【要約】【課題】データ伝送装置とハブ装置とを接続する信号線の異常を検出する。【解決手段】  ハブ装置１に対して、情報端末４からデータ伝送装置５ａ、信号線３、及び接続ポート２を介してデータ信号９を受信すると、当該データ信号を宛先アドレスの指定する情報端末４に対応する接続ポートから信号線へ出力するデータ信号中継手段と、受信したデータ信号を送信元アドレスの指定する情報端末に対応する信号線へ折返し出力するデータ信号折返し手段とを付加する。  また、各情報端末に組込まれたデータ伝送装置５ａに、自己の情報端末からのデータ信号をハブ装置へ送信してから、ハブ装置１から当該データ信号９を受信するまでの経過時間を計時し、この計時された経過時間が限界値を超えると信号線異常を出力する時間監視手段１２を付加する。【選択図】      図２
2007116364.tif 000002
【特許請求の範囲】
【請求項１】
それぞれ情報端末に組込まれた複数のデータ伝送装置と、この各データ伝送装置がイーサネット（登録商標）の信号線を介して接続される複数の接続ポートを有し、前記各情報端末相互間における宛先アドレス、送信元アドレス及びデータを含むデータ信号の中継を行うハブ装置とからなるデータ伝送システムにおいて、
前記ハブ装置は、
前記各情報端末から前記データ伝送装置、信号線、及び接続ポートを介してデータ信号を受信すると、当該データ信号を宛先アドレスの指定する情報端末に対応する接続ポートから信号線へ出力するデータ信号中継手段と、
前記受信したデータ信号を送信元アドレスの指定する情報端末に対応する信号線へ折返し出力するデータ信号折返し手段とを有し、
前記各情報端末に組込まれたデータ伝送装置は、自己の情報端末からのデータ信号を前記ハブ装置へ送信してから、当該ハブ装置から当該データ信号を受信するまでの経過時間を計時し、この計時された経過時間が限界値を超えると信号線異常を出力する時間監視手段を有した
ことを特徴とするデータ伝送システム。
【請求項２】
前記ハブ装置のデータ信号折返し手段は、受信したデータ信号のうち、イーサネットの最小伝送フレーム長分を新たなデータ信号として送信元アドレスの指定する情報端末に対応する信号線へ折返し出力することを特徴とする請求項１記載のデータ伝送システム。
【請求項３】
前記各データ伝送装置は、
前記ハブ装置へ送信したデータ信号のデータ長を計数する送信データ長計数手段と、
前記ハブ装置から受信したデータ信号のデータ長を計数する受信データ長計数手段と、
この受信データ長計数手段で計数されたデータ長が前記送信データ長計数手段で計数されたデータ長に一致しないと、信号線異常を出力するデータ長監視手段とを有する
ことを特徴とする請求項１記載のデータ伝送システム。
【請求項４】
前記各データ伝送装置は、
前記ハブ装置から受信したデータ信号のデータ長を計数する受信データ長計数手段と、
この受信データ長計数手段で計数されたデータ長が前記イーサネットの最小伝送フレームのデータ長と一致しないと信号線異常を出力するデータ長監視手段とを有する
ことを特徴とする請求項２記載のデータ伝送システム。
【請求項５】
前記ハブ装置は、前記各情報端末から受信したデータ信号における宛先アドレスを当該受信データに含まれる送信元アドレスに書換える宛先アドレス書換手段を有し、
前記データ信号折返し手段は、前記宛先アドレスが送信元アドレスに書換えられたデータ信号を送信元アドレスの指定する情報端末に対応する信号線へ折返し出力し、
前記各データ伝送装置は、
前記ハブ装置へ送信したデータ信号のデータを一時記憶する送信データ記憶手段と、
前記ハブ装置から受信したデータ信号の宛先アドレス及び送信元アドレスが自己のアドレスに一致する場合、当該データ信号のデータを読取るデータ読取手段と、
このデータ読取手段で読取られたデータが前記送信データ記憶手段に記憶されたデータと一致しないと信号線異常を出力するデータ内容検証手段とを有する
ことを特徴とする請求項１記載のデータ伝送システム。
【請求項６】
前記ハブ装置は、前記各情報端末から受信したデータ信号における宛先アドレスを当該受信データに含まれる送信元アドレスに書換える宛先アドレス書換手段を有し、
前記データ信号折返し手段は、前記宛先アドレスが送信元アドレスに書換えられたデータ信号のうち、イーサネットの最小伝送フレーム長分を新たなデータ信号として送信元アドレスの指定する情報端末に対応する信号線へ折返し出力し、
前記各データ伝送装置は、
前記ハブ装置へ送信したデータ信号のデータのうち、イーサネットの最小伝送フレーム長分の部分に含まれるデータを一時記憶する送信データ記憶手段と、
前記ハブ装置から受信したイーサネットの最小伝送フレーム長分のデータ信号の宛先アドレス及び送信元アドレスが自己のアドレスに一致する場合、当該データ信号のデータを読取るデータ読取手段と、
このデータ読取手段で読取られたデータが前記送信データ記憶手段に記憶されたデータと一致しないと信号線異常を出力するデータ内容検証手段とを有する
ことを特徴とする請求項１記載のデータ伝送システム。
【請求項７】
前記ハブ装置は、前記データ信号折返し手段における受信データの折返し出力を外部指示に応じて停止させる折返し実施制御手段を有することを特徴とする請求項１から６のいずれか１項記載のデータ伝送システム。
【請求項８】
前記各データ伝送装置は、前記時間監視手段における時間監視を外部指示に応じて停止させる時間監視実施制御手段を有することを特徴とする請求項１から７のいずれか１項記載のデータ伝送システム。
【請求項９】
前記各データ伝送装置は、前記データ内容検証手段におけるデータ内容検証を外部指示に応じて停止させるデータ内容検証実施制御手段を有することを特徴とする請求項５又は６項記載のデータ伝送システム。
【発明の詳細な説明】
【技術分野】
【０００１】
本発明は、複数の情報端末を信号線でハブ装置に接続して、ハブ装置を介して情報端末相互間でイーサネット規格（ＩＥＥＥ８０２．３）を用いたデータ伝送を行うネットワークシステムに係わり、特に、このネットワークシステムに組込まれた、ハブ装置とこのハブ装置に対してイーサネット規格の信号線を介して接続された各情報端末に組込まれたデータ伝送装置とからなるデータ伝送システムに関する。
【背景技術】
【０００２】
ハブ装置を介して情報端末相互間でイーサネット規格（ＩＥＥＥ８０２．３）を用いたデータ伝送を行うネットワークシステムにおいては、各情報端末にハブ装置を介して他の情報端末とデータ信号を送受信するための例えばカード形式のデータ伝送装置が組込まれている。ハブ装置には複数の接続ポートが設けられており、各接続ポートには、他のハブ装置又は各情報端末のデータ伝送装置が接続されている。各接続ポートとデータ伝送装置とを接続する信号線は、伝送速度が１０Ｍbpsの場合は１０Ｂａｓｅ―Ｔが使用され、伝送速度が１００Ｍbpsの場合は１００Ｂａｓｅ―ＴＸ又は１００Ｂａｓｅ―ＦＸが使用される。これらの信号線は、データ伝送装置とデータ伝送装置との間で送信と受信とを同時に実施できる全二重の信号線が採用されている。
【０００３】
このようなデータ伝送システムにおいて、各情報端末からデータ伝送装置を介して出力されたデータ信号がハブ装置を介して指定された情報端末へ正しく伝送されるためには、ハブ装置と各情報端末に組込まれたデータ伝送装置とを接続する信号線に断線等の異常が生じていないことが前提である。
【０００４】
そこで、ハブ装置及び各データ伝送装置は、接続先からの受信信号を監視して、リンクアップ／リンクダウン（ＬｉｎｋＵｐ／ＬｉｎｋＤｏｗｎ）状態を検出することにより、当該信号線の故障を検出している（例えば特許文献１参照）。
【特許文献１】特開平１１―１８７０３０号公報
【発明の開示】
【発明が解決しようとする課題】
【０００５】
しかしながら、上述した信号線の異常を検出する手法においても、まだ解消すべき次のような課題があった。
【０００６】
すなわち、前述したように、ハブ装置の各接続ポートと情報端末側のデータ伝送装置とを接続するイーサネット規格の信号線は、ハブ装置からデータ伝送装置へデータ信号を送信するための下り信号路と、データ伝送装置からハブ装置へデータ信号を送信するための上り信号路とで構成されている。
【０００７】
したがって、各情報端末に組込まれたデータ伝送装置が確認できるのは、ハブ装置からのデータ信号が伝送される下り信号路の正常・異常のみであり、上り信号路の正常・異常は確認できない。その結果、自己の情報端末が上り信号路へ出力したデータ信号が正しく目的の情報端末へ届いたか否かを確認できない。
【０００８】
逆に、ハブ装置側においは、各情報端末のデータ伝送装置からのデータ信号が入力される上り信号路の正常・異常を監視できるが、各情報端末のデータ伝送装置へデータ信号を送出する下り信号路の正常・異常は確認できない。
【０００９】
また、データ伝送装置内の送受信回路の異常や、ハブ装置内の送受信回路の異常により、本来伝送すべき正しいデータがデータ伝送システム上で伝送されているかの確認ができない課題もあった。
【００１０】
本発明は上述した課題を解決するためになされたものであり、データ伝送装置側で、データ伝送装置とハブ装置とを接続する信号線のうち、自己側がデータ信号を受信する下り信号路は勿論のこと、自己側がデータ信号を送出する上り信号路の健全性や、データ伝送装置及びハブ装置内の送受信回路の健全性を含めた信号線の異常を検出して出力するデータ伝送システムを提供することを目的とする。
【課題を解決するための手段】
【００１１】
本発明は、それぞれ情報端末に組込まれた複数のデータ伝送装置と、この各データ伝送装置がイーサネットの信号線を介して接続される複数の接続ポートを有し、各情報端末相互間における宛先アドレス、送信元アドレス及びデータを含むデータ信号の中継を行うハブ装置とからなるデータ伝送システムにおいて、
ハブ装置に対して、各情報端末からデータ伝送装置、信号線、及び接続ポートを介してデータ信号を受信すると、当該データ信号を宛先アドレスの指定する情報端末に対応する接続ポートから信号線へ出力するデータ信号中継手段と、受信したデータ信号を送信元アドレスの指定する情報端末に対応する信号線へ折返し出力するデータ信号折返し手段とを付加している。
【００１２】
さらに、各情報端末に組込まれたデータ伝送装置に対して、自己の情報端末からのデータ信号をハブ装置へ送信してから、当該ハブ装置から当該データ信号を受信するまでの経過時間を計時し、この計時された経過時間が限界値を超えると信号線異常を出力する時間監視手段を付加している。
【００１３】
このように構成されたデータ伝送システムにおいては、各情報端末に組込まれたデータ伝送装置が送出した、宛先アドレス、送信元アドレス及びデータを含む伝送フレームのデータ信号は自己に接続された信号線のうちの上り信号路を経由して、ハブ装置へ入力され、このハブ装置から宛先アドレスの指定する情報端末へ送信される。さらに、このデータ信号は、同一信号線の下り信号路に折返しされて、送信元のデータ伝送装置へ入力される。したがって、このデータ信号は、データ伝送装置が接続された信号線の上り信号路と下り信号路を経由するので、送信してから受信するまでの時間が、限界値を超えると信号線に異常が生じたと見なすことができる。
【００１４】
また別の発明においては、ハブ装置のデータ信号折返し手段は、受信したデータ信号のうち、イーサネットの最小伝送フレーム長分を新たなデータ信号として送信元アドレスの指定する情報端末に対応する信号線へ折返し出力する。
【００１５】
このように、受信したデータ信号の全部を送信元のデータ伝送装置へ折返し送信することなく、受信したデータ信号のうち、イーサネットの最小伝送フレーム長分を新たなデータ信号として送信元アドレスの指定するデータ伝送装置へ折返し送信することにより、信号線の負担を軽減できる。
【００１６】
また別の発明においては、各データ伝送装置は、ハブ装置へ送信したデータ信号のデータ長を計数する送信データ長計数手段と、ハブ装置から受信したデータ信号のデータ長を計数する受信データ長計数手段と、この受信データ長計数手段で計数されたデータ長が送信データ長計数手段で計数されたデータ長に一致しないと、信号線異常を出力するデータ長監視手段とを有する。
【００１７】
このように構成されたデータ伝送システムにおいては、経過時間のみならず、折返されてきたデータ信号のデータ長も送信したデータ信号のデータ長に一致することを確認しているので、より、厳格に、信号線の異常の有無を検査できる。
【００１８】
また別の発明においては、各データ伝送装置に対して、ハブ装置から受信したデータ信号のデータ長を計数する受信データ長計数手段と、この受信データ長計数手段で計数されたデータ長がイーサネットの最小伝送フレームのデータ長と一致しないと信号線異常を出力するデータ長監視手段とを有する。
【００１９】
このように、データ伝送装置は、折返されたイーサネットの最小伝送フレームのデータ長のデータ信号を受信したときに、この受信したデータ信号のデータ長の計数が短時間で実施でき、信号線の異常有無判定を効率的に実施できる。
【００２０】
また別の発明においては、ハブ装置に対して、さらに、各情報端末から受信したデータ信号における宛先アドレスを当該受信データに含まれる送信元アドレスに書換える宛先アドレス書換手段を付加し、データ信号折返し手段は、宛先アドレスが送信元アドレスに書換えられたデータ信号を送信元アドレスの指定する情報端末に対応する信号線へ折返し出力する。
【００２１】
そして、各データ伝送装置に対して、ハブ装置へ送信したデータ信号のデータを一時記憶する送信データ記憶手段と、ハブ装置から受信したデータ信号の宛先アドレス及び送信元アドレスが自己のアドレスに一致する場合、当該データ信号のデータを読取るデータ読取手段と、このデータ読取手段で読取られたデータが送信データ記憶手段に記憶されたデータと一致しないと信号線異常を出力するデータ内容検証手段とを付加している。
【００２２】
このように構成されたデータ伝送システムにおいては、ハブ装置からデータ伝送装置へ折返し送信されるデータ信号の宛先アドレスと送信元アドレスには同一の自己のアドレス（送信元アドレス）が付されているので、このデータ信号は自己宛のデータ信号であるので、このデータ信号に含まれる実際のデータを読取り、先に送信したデータ信号のデータと比較照合して、一致しないと信号線異常が出力される。したがって、信号線の異常有無判定をより厳格に、かつ効率的に実施できる。
【００２３】
また別の発明においては、ハブ装置に対して、各情報端末から受信したデータ信号における宛先アドレスを当該受信データに含まれる送信元アドレスに書換える宛先アドレス書換手段を有し、データ信号折返し手段は、宛先アドレスが送信元アドレスに書換えられたデータ信号のうち、イーサネットの最小伝送フレーム長分を新たなデータ信号として送信元アドレスの指定する情報端末に対応する信号線へ折返し出力する。
【００２４】
そして、各データ伝送装置に対して、ハブ装置へ送信したデータ信号のデータのうち、イーサネットの最小伝送フレーム長分の部分に含まれるデータを一時記憶する送信データ記憶手段と、ハブ装置から受信したイーサネットの最小伝送フレーム長分のデータ信号の宛先アドレス及び送信元アドレスが自己のアドレスに一致する場合、当該データ信号のデータを読取るデータ読取手段と、このデータ読取手段で読取られたデータが前記送信データ記憶手段に記憶されたデータと一致しないと信号線異常を出力するデータ内容検証手段とを付加している。
【００２５】
このように構成されたデータ伝送システムにおいては、各データ伝送装置は、イーサネットの最小伝送フレーム長分のデータ信号のデータを読取り、この読取ったデータの送信データに対する送信したデータ信号のデータに対する比較照合を実施すればよいので、信号線の異常有無判定をより効率的に実施できる。
【００２６】
さらに、別の発明においては、上記発明のデータ伝送システムにおけるハブ装置は、データ信号折返し手段における受信データの折返し出力を外部指示に応じて停止させる折返し実施制御手段を備えている。また、各データ伝送装置は、時間監視手段における時間監視を外部指示に応じて停止させる時間監視実施制御手段を有している。
【００２７】
さらに、別の発明においては、上記発明のデータ伝送システムにおける各データ伝送装置は、前記データ内容検証手段におけるデータ内容検証を外部指示に応じて停止させるデータ内容検証実施制御手段を有する。
【００２８】
このように構成された各データ伝送システムにおいては、試験担当者は、例えば、ハブ装置と各データ伝送装置のうちのいずれか一方のみに、上述した信号線に対する検査機能が付加されている場合は、両方の検査機能の実行を停止することが可能である。
【００２９】
また、試験を実施しない場合は、両方の検査機能の実行を停止することによって、通常の情報端末相互間のデータ伝送効率の向上を図ることが可能である。
【発明の効果】
【００３０】
本発明においては、データ伝送装置側で、データ伝送装置とハブ装置とを接続する信号線のうち、自己側がデータ信号を受信する下り信号路は勿論のこと、自己側がデータ信号を送出する上り信号路の健全性や、データ伝送装置及びハブ装置内の送受信回路の健全性を含めた信号線の異常を検出して出力することができる。
【発明を実施するための最良の形態】
【００３１】
以下、本発明の実施形態を図面を用いて説明する。
【００３２】
図１は本発明の各実施形態のデータ伝送システムが組込まれたネットワークシステムの概略構成を示す模式図である。ハブ装置１には例えば４個の接続ポート２が設けられている。各接続ポート２には、全二重のイーサネットの信号線３を介して情報端末４に組込まれたデータ伝送装置５又は他のハブ装置１が接続されている。ハブ装置１は、各情報端末４から信号線３を介して入力されたデータ信号を、このデータ信号の宛先アドレスの指定する情報端末４へ送信する。
【００３３】
本発明のデータ伝送システムは、上述したネットワークシステムにおける各情報端末４に組込まれたデータ伝送装置５と、この各データ伝送装置５に信号線３を介して接続されたハブ装置１で構成されている。
【００３４】
（第１実施形態）
図２は本発明の第１実施形態に係わるデータ伝送システムの概略構成を示す模式図である。ハブ装置１内にはＬＡＮスイッチコントローラ６、アドレステーブル７、バッファメモリ８、複数の接続ポート２ａ、２ｂ、…、２ｎが設けられている。
【００３５】
各接続ポート２ａ、２ｂ、…、２ｎには、上り信号路３ａと下り信号路３ｂとからなる１００Ｂａｓｅ―ＴＸの信号線３を介して各情報端末４に組込まれたデータ伝送装置５ａ、５ｂ、…、５ｎが接続されている。各情報端末４にはアドレス（ＭＡＣアドレス）が付されている。
【００３６】
ハブ装置１内のアドレステーブル７内には、図５に示すように、このハブ装置が現在時点で把握している各情報端末４（データ伝送装置５ａ〜５ｎ）のアドレスＡＤ1、ＡＤ2、ＡＤ3、…と、該当情報端末４（データ伝送装置５ａ〜５ｎ）が接続された、又は他のハブ装置１を介して接続される接続ポート２ａ、２ｂ、…、２ｎの番号が登録されている。
【００３７】
図４は、データ伝送装置５ａ〜５ｎとハブ装置１との間で送受信されるデータ信号９のフレーム構成図である。先頭に７バイトのＰＡ（プリアンブル）が位置し、次に１バイトのＳＦＤ（フレーム開始リミタ）が位置し、その後に、６バイトのＤＡ（宛先アドレス）、６バイトのＳＡ（送信元アドレス）、２バイトのＴＹＰ（使用プロトコル種別）が続き、その後に、送信すべきデータ及びＰＡＤが書込まれ、最後に４バイトのＦＣＳ（フレームチェックシーケンス）が付される。なお、ＰＡＤ（Padding）は、データがイーサネットの最小フレーム長に達しなかったときに付加される予備ビットである。
【００３８】
図３は、情報端末４に組込まれたデータ伝送装置５ａの概略を示すブロック図である。なお、他のデータ伝送装置５ｂ〜５ｎもこのデータ伝送装置５ａとほぼ同一構成であるので説明を省略する。
【００３９】
データ伝送装置５ａは、信号線３の上り信号路３ａに対してデータ信号９を送出する送信部１０ａ、信号線３の下り信号路３ｂからデータ信号９を受信する受信部１０ｂ、ＰＨＹ（物理）回路１１、時間監視カウンタ１３が組込まれた折返し受信監視回路１２、ＭＡＣ回路１４、イーサネットドライバ処理部１５、ＩＰ処理部１６、ＡＲＰ処理部１７、ＴＣＰ／ＵＤＰ処理部１８、及びアプリケーション処理部１９で構成されている。なお、アプリケーション処理部１９は情報端末４内に形成されている。
【００４０】
このような構成のデータ伝送システムにおけるハブ装置１のＬＡＮスイッチコントローラ６は、図６の流れ図に従って、各データ伝送装置５ａ〜５ｎから入力したデータ信号９に対する中継処理を実施する。
【００４１】
最初に、接続ポート２ａ〜２ｎ毎にデータ伝送装置５ａ〜５ｎからデータ信号９の受信があったか否かを監視し（Ｓ６１）、データ信号９が受信されると、当該データ信号９をバッファメモリ８に一時格納する（Ｓ６２）。その後、アドレステーブル７を検索し、データ受信があった接続ポート２ａ〜２ｎに受信したデータ信号９の送信元アドレスＳＡが登録済みであるか否かを検索する(Ｓ６３)。未登録であった場合は、今回受信したデータ信号９の送信元アドレスＳＡと当該データ信号９を受信した接続ポート２ａ〜２ｎの組合せをアドレステーブル７に登録する（Ｓ６４）。
【００４２】
次に、受信したデータ信号９内の宛先アドレスＤＡでアドレステーブル７を検索し、当該データ信号９を転送すべき接続ポート２ａ〜２ｎを特定し（Ｓ６５）、この特定した接続ポート２ａ〜２ｎの信号線３の下り信号路３ｂに対して受信したデータ信号９を送出する（Ｓ６６）。その後、受信したデータ信号９を今回受信した接続ポート２ａ〜２ｎの信号線３の下り信号路３ｂに送出する（Ｓ６７）。
【００４３】
また、データ伝送装置５ａにおいては、情報端末４内のアプリケーション処理部１９が図４のデータ信号９に組込んで送信すべきデータを作成し、このデータに対して、ＴＣＰ／ＵＤＰ処理部１８及びＩＰ処理部１６にて、図４における６バイトのＤＡ（宛先アドレス）、６バイトのＳＡ（送信元アドレス）、２バイトのＴＹＰ（使用プロトコル種別）を付加する。そして、イーサネットドライバ処理部１５に対してデータ送信要求を発行する。イーサネットドライバ処理部１５は、ＭＡＣ回路１４に対して送信要求を行う。ＭＡＣ回路１４は、上記［ＤＡ、ＳＡ、ＴＹＰ、データ］の前に、ＰＡ、ＳＦＤを付加し、後にＦＣＦを付加することによって図４のデータ信号９を作成する。そして、ＭＡＣ回路１４は、この作成したデータ信号９をＰＨＹ回路１１へ出力し、当該データ信号９は送信部１０ａ介して信号線３の上り信号路３ａ上へ送信される。
【００４４】
ここで、折返し診断回路１２は、図７に示す監視制御を実行する。すなわち、常時は、折返し診断用の時間監視カウンタ１３の経過時間を０にした状態（Ｓ７１）で、ＭＡＣ回路１４からＰＨＹ回路１１への出力されるデータ信号９を監視している。この状態において、ＭＡＣ回路１４からＰＨＹ回路１１へのデータ信号９の出力が開始されたことを検出した場合は（Ｓ７２）、時間監視カウンタ１３を起動する。そして、これ以後、ＰＨＹ回路１１からＭＡＣ回路１４へ何らかのデータ受信があったか否かの監視処理に移行する。
【００４５】
そして、ハブ装置１から下り信号路３ｂを介してこのデータ伝送装置５ａで受信されて、ＰＨＹ回路１１からＭＡＣ回路１４へ転送されてきたデータ信号９を検出すると（Ｓ７３）、上り信号路３ａと下り信号路３ｂとからなる信号線３を含む伝送路は正常と判定して（Ｓ７６）、Ｓ７１へ戻り、次のデータ信号９のハブ装置１へ送信されるのを待つ。
【００４６】
Ｓ７３において、データ信号９の受信が無い場合は、時間監視カウンタ１３を更新（Ｓ７４）し、予め設定された限界時間を経過しても折返されたデータ信号９の受信がなかった場合（Ｓ７５）、上り信号路３ａと下り信号路３ｂとからなる信号線３を含む伝送路は異常と判定してこのデータ伝送装置５ａが組込まれた情報端末４に伝送路異常を表示出力させる（Ｓ７７）。
【００４７】
このように構成された第１実施形態のデータ伝送システムにおいては、各情報端末４に組込まれたデータ伝送装置５ａが宛先アドレス、送信元アドレス及びデータを含む図４に示すフレーム構成のデータ信号９は自己に接続された信号線３のうちの上り信号路３ａを経由して、ハブ装置１へ入力され、このハブ装置１からデータ信号９の宛先アドレスＤＡの指定する情報端末４へ送信される。
【００４８】
さらに、ハブ装置１へ入力されたこのデータ信号９は、このデータ信号９が送信されてきた同一信号線３の下り信号路３ｂに折返しされて、送信元のデータ伝送装置５ａへ入力される。したがって、このデータ信号９は、データ伝送装置５ａが接続された信号線３の上り信号路３ａと下り信号路３ｂを経由するので、送信してから受信するまでの経過時間が、限界値を超えると信号線に異常が生じたと見なすことができる。
【００４９】
このように、データ伝送装置５ａ側で、データ伝送装置５ａとハブ装置１とを接続する信号線３のうち、データ信号９を受信する下り信号路３ｂは勿論のこと、データ信号９を送出する上り信号路３ａの健全性や、データ伝送装置５ａ及びハブ装置１内の送受信回路の健全性を把握できる。
【００５０】
なお、本発明は上述した第１実施形態に限定されるものではない。ハブ装置１のＬＡＮスイッチコントローラ６は、データ伝送装置５ａから上り信号路３ａを介して受信した図４のフレーム構成を有するデータ信号９のうち、データ部分を先頭から４０バイト分のデータのみに省略した残り６４バイト［ＰＡ（７）＋ＳＦＤ（１）＋ＤＡ（６）＋ＳＡ（６）＋ＴＹＰ（２）＋データ（４０）＋ＦＣＳ（４）］のデータ信号９を、イーサネットの最小伝送フレーム長分の新たなデータ信号９として送信元アドレスＳＡの指定する情報端末４に対応する信号線３の下り信号路３ｂへ折返し出力することも可能である。
【００５１】
このように、受信したデータ信号９の全部を送信元のデータ伝送装置５ａへ折返し送信することなく、受信したデータ信号９のうち、６４バイトのイーサネットの最小伝送フレーム長分を新たなデータ信号９として送信元アドレスＳＡの指定するデータ伝送装置５ａへ折返し送信することにより、信号線３の伝送（トラフィック）負担を軽減できる。
【００５２】
（第２実施形態）
図８は本発明の第２実施形態のデータ伝送システムにおける各情報端末４に組込まれたデータ伝送装置２０の概略構成を示すブロック図である。図３に示す第１実施形態のデータ伝送システムにおけるデータ伝送装置５ａと同一部分には、同一符号を付して、重複する部分の詳細説明を省略する。さらに、この第２実施形態のデータ伝送システムにおけるハブ装置は図２に示す第１実施形態のハブ装置１とほぼ同一構成であるので、説明を省略している。
【００５３】
この第２実施形態のデータ伝送装置２０においては、ＭＡＣ回路１４とＰＨＹ回路１１との間の伝送路に接続された折返し受信監視回路１２ａ内には、前述した時間監視カウンタ１３の他に、送信データ長カウンタ２１、送信データ長メモリ２２、受信データ長カウンタ２３が設けられている。
【００５４】
次に、このように構成されたデータ伝送装置２０の動作を説明する。図３に示す第１実施形態のデータ伝送装置５ａと同様に、情報端末４内のアプリケーション処理部１９が図４のデータ信号９に組込んで送信すべきデータを作成し、このデータに対して、ＴＣＰ／ＵＤＰ処理部１８及びＩＰ処理部１６にて、図４におけるＤＡ（宛先アドレス）、ＳＡ（送信元アドレス）、ＴＹＰ（使用プロトコル種別）を付加する。そして、イーサネットドライバ処理部１５に対してデータ送信要求を発行する。イーサネットドライバ処理部１５は、ＭＡＣ回路１４に対して送信要求を行う。ＭＡＣ回路１４は、上記［ＤＡ、ＳＡ、ＴＹＰ、データ］の前に、ＰＡ、ＳＦＤを付加し、後にＦＣＦを付加することによって図４のデータ信号９を作成する。そして、ＭＡＣ回路１４は、この作成したデータ信号９をＰＨＹ回路１１へ出力し、当該データ信号９は送信部１０ａ介して信号線３の上り信号路３ａ上へ送信される。
【００５５】
ここで、折返し診断回路１２ａは、図９に示す監視制御を実行する。すなわち、常時は、折返し診断用の時間監視カウンタ１３の経過時間を０にした状態（Ｓ９１）で、ＭＡＣ回路１４からＰＨＹ回路１１への出力されるデータ信号９を監視している。この状態において、ＭＡＣ回路１４からＰＨＹ回路１１へのデータ信号９の出力が開始されたことを検出した場合は（Ｓ９２）、時間監視カウンタ１３を起動する。送信データ長カウンタ２１が起動して出力されるデータ信号９のデータ長（バイト数又はビット数）を計数して、送信データ長メモリ２２へ書込む（Ｓ９３）。これ以後、ＰＨＹ回路１１からＭＡＣ回路１４へ何らかのデータ受信があったか否かの監視処理に移行する。
【００５６】
そして、ハブ装置１から下り信号路３ｂを介してこのデータ伝送装置２０で受信されて、ＰＨＹ回路１１からＭＡＣ回路１４へ転送されてきたデータ信号９を検出すると（Ｓ９４）、受信データ長カウンタ２３が起動して、受信したデータ信号９のデータ長（バイト数又はビット数）を計数する（Ｓ９５）。今回計数された受信したデータ信号９のデータ長と送信データ数メモリ２２に記憶されている送信したデータ信号９のデータ長と比較して、両者が一致した場合は（Ｓ９６）、上り信号路３ａと下り信号路３ｂとからなる信号線３を含む伝送路は正常と判定して（Ｓ９７）、Ｓ９１へ戻り、次のデータ信号９がハブ装置１へ送信されるのを待つ。
【００５７】
今回計数された受信したデータ信号９のデータ長と送信データ数メモリ２２に記憶されている送信したデータ信号９のデータ長とが一致しない場合は（Ｓ９６）、上り信号路３ａと下り信号路３ｂとからなる信号線３を含む伝送路は異常と判定してこのデータ伝送装置２０が組込まれた情報端末４に伝送路異常を表示出力させる（Ｓ９８）。
【００５８】
Ｓ９４において、データ信号９の受信が無い場合は、時間監視カウンタ１３を更新（ＳＳ９９）し、予め設定された限界時間を経過しても折返されたデータ信号９の受信がなかった場合（Ｓ１００）、上り信号路３ａと下り信号路３ｂとからなる信号線３を含む伝送路は異常と判定してこのデータ伝送装置２０が組込まれた情報端末４に伝送路異常を表示出力させる（Ｓ９８）。
【００５９】
このように構成された第２実施形態のデータ伝送システムにおいては、各データ伝送装置２０は、ハブ装置１へ送信したデータ信号９のデータ長を送信データ数カウンタ２１で計数して送信データ長メモリ２２に一時保管している。そして、ハブ装置１から折返し送信されてきたデータ信号９のデータ長を受信データ長カウンタ２３で計数して両者が一致しないと、信号線異常を出力している。
【００６０】
したがってこの実施形態においては、データ信号９の送信からハブ装置１で折返された当該データ信号９の受信までの経過時間のみならず、折返されてきたデータ信号のデータ長も送信したデータ信号のデータ長に一致することを確認しているので、より、厳格に、上り信号路３ａと下り信号路３ｂとからなる信号線３の異常の有無を検査できる。
【００６１】
なお、本発明は上述した第２実施形態に限定されるものではない。この第２実施形態に組込まれたハブ装置１は、前述した第１実施形態におけるその他の例で示したように、データ伝送装置２０から上り信号路３ａを介して受信した図４のフレーム構成を有するデータ信号９のうち、イーサネットの最小伝送フレーム長分の新たなデータ信号９として送信元アドレスＳＡの指定する情報端末４に対応する信号線３の下り信号路３ｂへ折返し出力することも可能である。
【００６２】
この場合、データ伝送数値２０にハブ装置１から受信するデータ信号９のデータ長は、イーサネットの最小伝送フレーム長である６４バイトに固定されているので、ハブ装置１に送信するデータ信号９のデータ長は計数せず、受信したデータ信号９のデータ長のみを受信データ長カウンタ２３で計数して、計数されたデータ長がイーサネットの最小伝送フレーム長である６４バイトに一致しなければ、信号線異常を出力する。
【００６３】
このような構成においては、信号線３の伝送（トラフィック）負担を軽減できるとともに、データ伝送装置２０の処理負担を軽減できる。
【００６４】
（第３実施形態）
図１０は本発明の第３実施形態のデータ伝送システムにおけるハブ装置２４の概略構成を示すブロック図である。図２に示す第１実施形態のハブ装置１と同一部分には、同一符号を付して、重複する部分の詳細説明を省略する。この第３実施形態のハブ装置２４におけるＬＡＮスイッチコントローラ６ａ内には、アドレス書換部２５が設けられている。
【００６５】
図１２は同第３実施形態のデータ伝送システムにおけるデータ伝送装置２６の概略構成を示すブロック図である。図３に示す第１実施形態のデータ伝送装置５ａと同一部分には、同一符号を付して、重複する部分の詳細説明を省略する。この第３実施形態のデータ伝送装置２６内には、受信データ診断処理部２７が設けられている。
【００６６】
このような構成のデータ伝送システムにおけるハブ装置２４のＬＡＮスイッチコントローラ６ａは、図１３の流れ図に従って、各データ伝送装置２６から入力した図１１（ａ）に示すフレーム構成を有するデータ信号９に対する中継処理を実施する。
【００６７】
最初に、接続ポート２ａ〜２ｎ毎にデータ伝送装置２６からデータ信号９の受信があったか否かを監視し（Ｓ１３１）、データ信号９が受信されると、当該データ信号９をバッファメモリ８に一時格納する（Ｓ１３２）。その後、アドレステーブル７を検索し、データ受信があった接続ポート２ａ〜２ｎに受信したデータ信号９の送信元アドレスＳＡが登録済みであるか否かを検索する(Ｓ１３３)。未登録であった場合は、今回受信したデータ信号９の送信元アドレスＳＡと当該データ信号９を受信した接続ポート２ａ〜２ｎの組合せをアドレステーブル７に登録する（Ｓ１３４）。
【００６８】
次に、受信した図１１（ａ）のデータ信号９内の宛先アドレスＤＡでアドレステーブル７を検索し、当該データ信号９を転送すべき接続ポート２ａ〜２ｎを特定し（Ｓ１３５）、この特定した接続ポート２ａ〜２ｎの信号線３の下り信号路３ｂに対して受信したデータ信号９を送出する（Ｓ１３６）。
【００６９】
その後、アドレス書換部２５が起動して、図１１（ａ）に示す受信したデータ信号９における送信元アドレスＳＡ（ＡＤ2）を読取って、宛先アドレスＤＡに書込み、図１１（ｂ）に示すフレーム構成を有するデータ信号９ａを生成する。したがって、データ信号９ａの宛先アドレスＤＡと送信元アドレスＳＡには、このデータ信号９の送信元であるデータ伝送装置２６のアドレスＡＤ2が書込まれている（Ｓ１３７）。そして、この宛先アドレスＤＡが書換えられデータ信号９ａを、今回、受信した接続ポート２ａ〜２ｎの信号線３の下り信号路３ｂに送出する（Ｓ１３８）。
【００７０】
また、図１２に示すデータ伝送装置２６においては、情報端末４内のアプリケーション処理部１９が送信すべきデータを作成し、このデータに対して、ＴＣＰ／ＵＤＰ処理部１８及びＩＰ処理部１６にて、図４におけるＤＡ（宛先アドレス）、ＳＡ（送信元アドレス）、ＴＹＰ（使用プロトコル種別）を付加する。そして、イーサネットドライバ処理部１５に対してデータ送信要求を発行する。
【００７１】
図１４は、イーサネットドライバ処理部１５の動作を示す流れ図である。ＴＣＰ／ＵＤＰ処理部１８、ＩＰ処理部１６、ＡＲＰ処理部１７から、上記［ＤＡ、ＳＡ、ＴＹＰ、データ］が入力されると（Ｓ１４１）、この情報［ＤＡ、ＳＡ、ＴＹＰ、データ］をＭＡＣ回路１４へ送出する（Ｓ１４２）。さらに、この情報［ＤＡ、ＳＡ、ＴＹＰ、データ］を受信データ診断処理部２７へ送出する（Ｓ１４３）。
【００７２】
なお、ＭＡＣ回路１４は［ＤＡ、ＳＡ、ＴＹＰ、データ］に、ＰＡ、ＳＦＤ、ＦＣＳを付加したデータ信号９をＰＨＹ回路１１へ出力し、当該データ信号９は送信部１０ａ介して信号線３の上り信号路３ａ上へ送信される。
【００７３】
そして、このデータ伝送装置２６で受信した種々のデータ信号のうち、宛先アドレスＤＡが自己のアドレスＡＤ2のデータ信号の［ＤＡ、ＳＡ、ＴＹＰ、データ］はＭＡＣ回路１４を通過して、イーサネットドライバ処理部１５へ入力される。
【００７４】
図１４におけるＳ１４４において、ＭＡＣ回路１４からデータ信号の［ＤＡ、ＳＡ、ＴＹＰ、データ］が入力されると、このデータ信号の送信元アドレスＳＡが自己のアドレスＡＤ2以外の場合（Ｓ１４５）、このデータ信号は他の情報端末４から自己宛に送信されてきた正規のデータ信号であるので、このデータ信号の［ＤＡ、ＳＡ、ＴＹＰ、データ］をＩＰ処理部１６又はＡＲＰ処理部１７へ送出する（Ｓ１４６）。
【００７５】
一方、入力したデータ信号の送信元アドレスＳＡが自己のアドレスＡＤ2に一致する場合は、ハブ装置２４から折返されたデータ信号９ａであるので、このデータ信号９ａを受信データ診断処理部２７へ送出する（Ｓ１４７）。
【００７６】
受信データ診断処理部２７は、図１５に示す流れ図に従って、受信したデータ信号９ａを用いた信号線３の診断処理を実施する。
【００７７】
イーサネットドライバ処理部１５から図１１（ａ）に示すフレーム構成を有するデータ信号９が入力されると（Ｓ１５１）、この送信したデータ信号９におけるデータを読取って、メモリに記憶する（Ｓ１５２）。そして、予め定められた許容時間内に（Ｓ１５７）、ハブ装置２４から受信した図１１（ｂ）に示すフレーム構成を有するデータ信号９ｂが入力されると（Ｓ１５３）、この受信したデータ信号９ａにおけるデータを読取り、この読取ったデータとメモリに記憶されたデータとを比較して（Ｓ１５４）、両者が一致すると（Ｓ１５５）、上り信号路３ａと下り信号路３ｂとからなる信号線３を含む伝送路は正常と判定して（Ｓ１５６）、Ｓ１５１へ戻り、次のデータ信号９がハブ装置１へ送信されてこの受信データ診断処理部２７へ入力されるのを待つ。
【００７８】
両者が一致しないと（Ｓ１５５）、上り信号路３ａと下り信号路３ｂとからなる信号線３を含む伝送路は異常と判定してこのデータ伝送装置２６が組込まれた情報端末４に伝送路異常を表示出力させる（Ｓ１５８）。
【００７９】
なお、データ信号９が入力されてから、予め定められた許容時間内に（Ｓ１５７）、図１１（ｂ）に示すフレーム構成を有するデータ信号９ｂが入力されない場合においても、上り信号路３ａと下り信号路３ｂとからなる信号線３を含む伝送路は異常と判定してこのデータ伝送装置２６が組込まれた情報端末４に伝送路異常を表示出力させる（Ｓ１５８）。
【００８０】
また、このデータ伝送装置２６の折返し受信監視回路１２は、図３の第１実施形態のデータ伝送装置５ａの折返し受信監視回路１２と同様に、データ信号９を送信してからデータ信号９ａを受信するまでの経過時間が、限界値を超えると、上り信号路３ａと下り信号路３ｂとからなる信号線３を含む伝送路は異常と判定する。
【００８１】
このように構成された第３実施形態のデータ伝送システムにおいては、ハブ装置２４からデータ伝送装置２６へ折返し送信されるデータ信号９ａの宛先アドレスＤＡと送信元アドレスＳＡには同一の自己のアドレスＡＤ2が付されているので、データ伝送装置２６にとって、このデータ信号９ａは自己宛のデータ信号であるので、このデータ信号９ａに含まれる実際のデータを読取り、先に送信したデータ信号９のデータと比較照合して、一致しないと信号線異常が出力される。したがって、上り信号路３ａと下り信号路３ｂとからなる信号線３の異常有無判定をより厳格に、かつ効率的に実施できる。
【００８２】
なお、本発明は上述した第３実施形態に限定されるものではない。この第３実施形態に組込まれたハブ装置２４は、受信した図１１（ａ）のデータ信号９の宛先アドレスを送信元アドレスに書き換えて図１１（ｂ）のデータ信号９ａにするとともに、前述した第１実施形態におけるその他の例で示したように、データ信号９ａのうち、イーサネットの最小伝送フレーム長分の新たなデータ信号９ａとして送信元アドレスＳＡの指定する情報端末４に対応する信号線３の下り信号路３ｂへ折返し出力することも可能である。
【００８３】
この場合、データ伝送数値２６の受信データ診断処理部２７は、送信するデータ信号９のイーサネットの最小伝送フレーム長分の新たなデータ信号９におけるデータと、受信したイーサネットの最小伝送フレーム長分の新たなデータ信号９ａにおけるデータとを比較すればよいので、信号線３の伝送（トラフィック）負担を軽減できるとともに、データ伝送装置２６の受信データ診断処理部２７の負担を軽減できる。
【００８４】
（第４実施形態）
図１６は本発明の第４実施形態のデータ伝送システムにおけるハブ装置２８の概略構成を示すブロック図である。図２に示す第１実施形態のハブ装置１と同一部分には、同一符号を付して、重複する部分の詳細説明を省略する。この第４実施形態のハブ装置２８においてはＬＡＮスイッチコントローラ６のデータ信号９の折返し送信機能を外部指示に応じて停止させる折返し条件設定回路２９が設けられている。
【００８５】
図１７は同第４実施形態のデータ伝送システムにおけるデータ伝送装置３０の概略構成を示すブロック図である。図３に示す第１実施形態のデータ伝送装置５ａと同一部分には、同一符号を付して、重複する部分の詳細説明を省略する。この第４実施形態のデータ伝送装置３０内には、折返し受信監視回路１２における時間監視機能を外部指示に応じて停止させる監視条件設定回路３１が設けられている。
【００８６】
このように構成された第４実施形態のデータ伝送システムにおけるハブ装置２８のＬＡＮスイッチコントローラ６は、図１８の流れ図に従って、各データ伝送装置３０から入力したデータ信号９の中継処理を実施する。
【００８７】
最初に、接続ポート２ａ〜２ｎ毎にデータ伝送装置３０からデータ信号９の受信があったか否かを監視し（Ｓ１８１）、データ信号９が受信されると、当該データ信号９をバッファメモリ８に一時格納する（Ｓ１８２）。その後、アドレステーブル７を検索し、データ受信があった接続ポート２ａ〜２ｎに受信したデータ信号９の送信元アドレスＳＡが登録済みであるか否かを検索する(Ｓ１８３)。未登録であった場合は、今回受信したデータ信号９の送信元アドレスＳＡと当該データ信号９を受信した接続ポート２ａ〜２ｎの組合せをアドレステーブル７に登録する（Ｓ１８４）。
【００８８】
次に、受信した図１１（ａ）のデータ信号９内の宛先アドレスＤＡでアドレステーブル７を検索し、当該データ信号９を転送すべき接続ポート２ａ〜２ｎを特定し（Ｓ１８５）、この特定した接続ポート２ａ〜２ｎの信号線３の下り信号路３ｂに対して受信したデータ信号９を送出する（Ｓ１８６）。
【００８９】
その後、折返し条件設定回路２９に折返し送信機能の実行が指定されていた場合（Ｓ１８７）、このデータ信号９を受信した接続ポート２ａ〜２ｎの信号線３の下り信号路３ｂに送出する（Ｓ１８８）。そして、Ｓ１８１へ戻り、次のデータ信号９の入力を待つ。
【００９０】
なお、折返し条件設定回路２９に折返し送信機能の停止が指定されていた場合（Ｓ１８７）、なにもせずに、Ｓ１８１へ戻り、次のデータ信号９の入力を待つ。
【００９１】
また、データ伝送装置３０は、監視条件設定回路３１に折返し受信監視回路１２における時間監視機能を実行すると設定されていた場合は、図７に示す第１実施形態のデータ伝送装置５ａと同一の時間監視処理を実行する。さらに、監視条件設定回路３１に折返し受信監視回路１２における時間監視機能を停止すると設定されていた場合は、図７に示す第１実施形態のデータ伝送装置５ａと同一の時間監視処理を実行しない。
【００９２】
このように構成された第４実施形態のデータ伝送システムにおいては、このデータ伝送システムが組込まれたネットワークシステムの管理者は、ハブ装置２８における「折返し送信機能」、各データ伝送装置３０における「時間監視機能」を実行するか否かを任意に選択設定可能である。したがって、ハブ装置２８に接続された各データ伝送装置が元々折返し受信監視回路１２が付加されていない場合には、ハブ装置２８における「折返し送信機能」を実行する必要がないので、ハブ装置２８における「折返し送信機能」を停止することによって、信号線３における伝送負荷を軽減できるとともに、ハブ装置２８の処理負担も軽減できる。
【００９３】
逆に、データ伝送装置３０に接続されたハブ装置が元々「折返し送信機能」が付加されていない場合は、各データ伝送装置３０における「時間監視機能」を停止して、各データ伝送装置３０の処理負担を軽減できる。
【００９４】
さらに、試験を実施しない場合は、両方の検査機能の実行を停止することによって、通常の情報端末相互間におけるデータ伝送効率の向上を図ることが可能である。
【００９５】
なお、本発明は上述した第４実施形態のデータ伝送システムに限定されるものではない。例えば、第３実施形態の図１２に示す受信データ診断処理部２７における「データ内容検証機能」の実行、停止を管理者が選択設定可能にしてもよい。
【図面の簡単な説明】
【００９６】
【図１】本発明のデータ伝送システムが適用されるネットワークシステムを示す模式図
【図２】本発明の第１実施形態に係わるデータ伝送システムの概略構成を示すブロック図
【図３】同第１実施形態に係わるデータ伝送システムにおけるデータ伝送装置の概略構成を示すブロック図
【図４】同第１実施形態に係わるデータ伝送システムで用いられるデータ信号のフレーム構成図
【図５】同第１実施形態に係わるデータ伝送システムのハブ装置内に設けられたアドレステーブルの記憶内容を示す図
【図６】同第１実施形態に係わるデータ伝送システムのハブ装置の動作を示す流れ図
【図７】同第１実施形態に係わるデータ伝送システムのデータ伝送装置の動作を示す流れ図
【図８】本発明の第２実施形態に係わるデータ伝送システムにおけるデータ伝送装置の概略構成を示すブロック図
【図９】同第２実施形態に係わるデータ伝送システムにおけるデータ伝送装置の動作を示す流れ図
【図１０】本発明の第３実施形態に係わるデータ伝送システムにおけるハブ装置の概略構成を示すブロック図
【図１１】同第３実施形態に係わるデータ伝送システムで用いられるデータ信号のフレーム構成図
【図１２】同第３実施形態に係わるデータ伝送システムにおけるデータ伝送装置の概略構成を示すブロック図
【図１３】同第３実施形態に係わるデータ伝送システムにおけるハブ装置の動作を示す流れ図
【図１４】同第３実施形態に係わるデータ伝送システムにおけるデータ伝送装置のイーサネット処理部の動作を示す流れ図
【図１５】同第３実施形態に係わるデータ伝送システムにおけるデータ伝送装置の受信データ診断処理部の動作を示す流れ図
【図１６】本発明の第４実施形態に係わるデータ伝送システムにおけるハブ装置の概略構成を示すブロック図
【図１７】同第４実施形態に係わるデータ伝送システムにおけるデータ伝送装置の概略構成を示すブロック図
【図１８】同第４実施形態に係わるデータ伝送システムにおけるハブ装置の動作を示す流れ図
【符号の説明】
【００９７】
１，  ２４，２８…ハブ装置、２，２ａ、２ｂ，２ｎ…接続ポート、３…信号線、３ａ…上り信号路、３ｂ…下り信号路、４…情報端末、５ａ，５ｂ，５ｎ、２０，２６，３０…データ伝送装置、６，６ａ…ＬＡＮスイッチコントローラ、７…アドレステーブル、９，９ａ…データ信号、１１…ＴＨＹ回路、１２…折返し受信監視回路、１３…時間監視カウンタ、４…ＭＡＣ回路、１５…イーサネットドライバ処理部、１６…ＩＰ処理部、１７…ＡＲＰ処理部、１８…ＴＣＰ／ＵＤＰ処理部、１９…アプリケーション処理部、２１…送信データ長カウンタ、２３…受信データ長カウンタ、２５…アドレス書換部、２７…受信データ診断処理部、２９…折返し条件設定回路、３１…監視条件設定回路
【図１】
2007116364.tif 000003
【図２】
2007116364.tif 000004
【図３】
2007116364.tif 000005
【図４】
2007116364.tif 000006
【図５】
2007116364.tif 000007
【図６】
2007116364.tif 000008
【図７】
2007116364.tif 000009
【図８】
2007116364.tif 000010
【図９】
2007116364.tif 000011
【図１０】
2007116364.tif 000012
【図１１】
2007116364.tif 000013
【図１２】
2007116364.tif 000014
【図１３】
2007116364.tif 000015
【図１４】
2007116364.tif 000016
【図１５】
2007116364.tif 000017
【図１６】
2007116364.tif 000018
【図１７】
2007116364.tif 000019
【図１８】
2007116364.tif 000020